(57)【要約】      （修正有）【課題】カメラとフラッシュを保護でき、周辺からの擦れとぶつかりを避け、カメラとフラッシュの使用寿命を延長できるカメラ保護カバー、及び電子設備保護カバーを提供する。【解決手段】カメラ保護カバーは、保護カバー１、カメラ固定溝２及びフラッシュ収納穴３から構成される。保護カバーはカメラエリアの開閉に用いる。カメラ固定溝は保護カバー上に設置され、カメラの収納に用いる。フラッシュ収納穴は保護カバー上に設置され、フラッシュの収納に用いる。【選択図】図１
0003226845.tif 000002
【実用新案登録請求の範囲】
【請求項１】
カメラエリアの開閉に用いる保護カバー、
前記保護カバー上に設置され、カメラの収納に用いるカメラ固定溝、
前記保護カバー上に設置され、フラッシュの収納に用いるフラッシュ収納穴
を備えることを特徴とする、カメラ保護カバー。
【請求項２】
カメラ固定溝は保護カバーとカメラエリア開閉の表面に設置され、そしてカメラ固定溝の深さは保護カバーの厚さより小さいことを特徴とする、請求項１に記載のカメラ保護カバー。
【請求項３】
保護カバーに外の光線及び／またはフラッシュの光がカメラ撮影効果に影響しないよう、シェード層が設けていることを特徴とする、請求項２に記載のカメラ保護カバー。
【請求項４】
保護カバーはボンド層でカメラエリアと粘着していることを特徴とする、請求項３に記載のカメラ保護カバー。
【請求項５】
前記シェード層は保護カバーとボンド層の間に設置されていることを特徴とする、請求項４に記載のカメラ保護カバー。
【請求項６】
保護カバーの四隅は面取りされていることを特徴とする、請求項１に記載のカメラ保護カバー。
【請求項７】
保護カバーは以下を含める：
第一カバー、前記カメラエリアとの開閉に用いられ、第一カバーにカメラ収納用の固定穴とフラッシュ収納用の第一収納穴を設置されている；
第二カバー、前記第一カバーとボンドで粘着され、第二カバーに前記固定穴と合わせたカメラ固定溝の槽エリア、及び前記第一収納穴と合わせたフラッシュ収納穴の第二収納穴を設置されている
ことを特徴とする、請求項１〜６のいずれかに記載のカメラ保護カバー。
【請求項８】
カメラ保護カバー上、保護カバーに設置され、騒音抑制マイク収納用のマイク収納穴も含めていることを特徴とする、請求項１に記載のカメラ保護カバー。
【請求項９】
請求項１〜８のいずれかに記載のカメラ保護カバーを含む、電子設備保護カバー。
【考案の詳細な説明】
【技術分野】
【０００１】
本実用新案は電子設備付属品技術分野に属し、より詳しく言うと、一種類のカメラ保護カバー及び電子設備保護カバーに関わる。
【背景技術】
【０００２】
一般、携帯電話、タブレットなどのエンターテインメント設備を含めた電子設備に撮影用のカメラエリアを設置されている。カメラエリアにカメラ、フラッシュなどの構造で形成している。ある電子設備上、騒音抑制のマイク構造もカメラエリアに集中している。
現状、カメラエリアのカメラ、フラッシュなどは使用中、ほかのものとぶつかりやすい。カメラ、フラッシュなどの使用寿命に影響をもたらす。
よっては、カメラ保護カバーと電子設備保護カバーを設計する必要がある。
【考案の概要】
【０００３】
本実用新案の目的はカメラ保護カバー及び電子設備保護カバーを提供する。現状使用中、カメラエリアの構造はほかのものとぶつかりやすく、使用寿命に影響する課題を解決する。
【０００４】
上記の目的を実現するため、本実用新案が採用した技術案は：
一種類のカメラ保護カバーを提供する。下記部分を含める：  
保護カバー、カメラエリアの開閉に用いる；
カメラ固定溝、上述の保護カバーに設置され、カメラ収納に用いる；
及び
フラッシュ収納穴、上述の保護カバーに設置され、フラッシュの収納に用いる。
本願のもう一つの実施例として、カメラ固定溝は上述の保護カバーとカメラエリア開閉の表面に設置され、そして、カメラ固定溝の深さは保護カバーの厚さより小さい。
本願のもう一つの実施例として、保護カバーに外の光線或いは／とフラッシュの光がカメラ撮影効果に影響しないよう、シェード層が設けている。
本願のもう一つの実施例として、保護カバーの四隅は面取りされている。
本願のもう一つの実施例として、保護カバーは以下に含める：
第一カバー、前記カメラエリアとの開閉に用いる。第一カバーにカメラ収納用の固定穴とフラッシュ収納用の第一収納穴を設置されている。
及び
第二カバー、前記第一カバーとボンドで粘着する。第二カバーに前記固定穴と合わせたカメラ固定溝の槽エリア、及び前記第一収納穴と合わせたフラッシュ収納穴の第二収納穴を設置されている。
【０００５】
本願のもう一つの実施例として、保護カバーはボンド層でカメラエリアと粘着している。
【０００６】
本願のもう一つの実施例として、前記シェード層は保護カバーとボンド層の間に設置されている。
【０００７】
本願のもう一つの実施例として、カメラ保護カバー上、保護カバーに設置され、騒音抑制マイク収納用のマイク収納穴も含めている。
【０００８】
本実用新案が提供したカメラ保護カバーの優れた効果は以下にある：現状技術と比べて、本実用新案の一種類のカメラ保護カバー、このカメラ保護カバーはカメラとフラッシュを良く保護でき、カメラとフラッシュへの擦れ、ぶつかりを回避でき、カメラとフラッシュの使用寿命を延長できる。
【０００９】
本実用新案も一種類の電子設備保護カバーを提供する：
上記任意の実施例が説明したカメラ保護カバーを含める。
【００１０】
本実用新案が提供した電子設備保護カバーの優れた効果は以下にある：現状技術と比べて、本実用新案の一種類の電子設備保護カバー、この電子設備保護カバーは有効に電子設備の主体構造を保護する同時に、電子設備上のカメラエリアを有効に保護できる。
【図面の簡単な説明】
【００１１】
本実用新案の実施案例の技術方案をよりはっきり説明するため、実施例或いは現状技術説明に必要な付図を簡単に紹介する。明らかに、以下に示した付図は本実用新案の若干実施例だけで、本領域の普通技術者に対して、創造性労働を出さない前提で、これらの付図を利用して、ほかの付図を入手できる。
【図１】図１は本実用新案実施例が提供した一種類のカメラ保護カバーの立体構造イメージ図；
【図２】図２は図１のＡ箇所の拡大図。
【考案を実施するための形態】
【００１２】
本実用新案が解決した技術問題、技術方案、実現効果をより明確に見せるため、付図と実施例に合わせて、本実用新案を更に説明する。ここで紹介する具体実施例は本実用新案を解釈する用だけで、本実用新案を限定されない。
【００１３】
図１と図２を合わせて参考にして、本実用新案が提供したカメラ保護カバーを説明する。このカメラ保護カバーは保護カバー１、カメラ固定溝２及びフラッシュ収納穴３を含める。保護カバー１はカメラエリアの開閉に用いる；カメラ固定溝２は保護カバー１に設置され、カメラの収納に用いる；フラッシュ収納穴３は保護カバー１に設置され、フラッシュ収納に用いる。
【００１４】
保護カバー１をカメラエリアの上に移動し、そうすると、カメラはカメラ固定溝２にあり、フラッシュはフラッシュ収納穴３にある。そういう状態で、保護カバー１をカメラエリアで合わせ、保護カバー１とカメラエリアとつないでいる。
【００１５】
本実用新案が提供した一種類のカメラ保護カバーは現状技術と比べて、本カメラ保護カバーはカメラとフラッシュを良く保護でき、カメラとフラッシュへの擦れ、ぶつかりを回避でき、カメラとフラッシュの使用寿命を延長できる。
【００１６】
本実用新案の実施例の一つ具体的な実施方法として、図１と図２を合わせて参考ください。カメラ固定溝２は保護カバー１とカメラエリアの開閉の表面に設置され、そしてカメラ固定溝２の深さは保護カバー１の厚さより小さい。カメラ固定溝２の深さ設定は保護カバー１がカメラエリアと合わせた時、保護カバー１がちょうどカメラの前に保護構造を形成し、ほかのものがカメラに直接擦れないように、保護カバーがカメラへの保護効果を高める。
【００１７】
説明必要なのは、本実施例の保護カバー１がカメラと対応するエリアの材質は透明である。
【００１８】
本実用新案の実施例の一つ具体的な実施方法として、図１と図２を合わせて参考ください。保護カバー１に外の光線或いは／とフラッシュの光がカメラ撮影効果に影響しないよう、シェード層４が設けている。シェード層４の構造が簡単で、コストも安い。そして、有効にフラッシュの光或いは外の光線が保護カバー１での屈折を避けられ、カメラの撮影効果を保証する。
【００１９】
本実施例のシェード層４は不透明のプラスチック材質層を含める。カメラ保護カバーが壊れた場合、シェード層４はカメラ保護カバーのくずがカメラエリアへのダメージを有効に避ける。
【００２０】
本実用新案の実施例の一つ具体的な実施方法として、図１と図２を合わせて参考ください。保護カバー１の四隅が面取りしている。保護カバー１の四隅は滑らかなＲ構造で、このカメラカバーを使用する場、とがった角が人へ傷つけないように設計している。
【００２１】
本実用新案の実施例の一つ具体的な実施方法として、図１と図２を合わせて参考ください。保護カバー１は第一カバー１１と第二カバー１２を含める。
【００２２】
第一カバー１１はカメラエリアとの開閉に用いる。第一カバー１１にカメラ収納用の固定穴とフラッシュ収納用の第一収納穴を設置されている。
【００２３】
第二カバー１２は第一カバー１１とボンドで粘着している。第二カバー１２に固定穴と合わせたカメラ固定溝２の槽エリア、及び第一収納穴と合わせたフラッシュ収納穴３の第二収納穴を設置されている。
【００２４】
生産プロセス：第一カバー１１に分別固定穴、第一収納穴を穴開けして、第二カバー１２に第一収納穴と合わせて設置するだけで、フラッシュ収納穴３の第二収納穴を形成してもいい。そして第二カバー１２と第一カバー１１を一体化にする。保護カバー１を分割設置して、生産を簡単にするので、有効に生産中カメラ固定溝２の難易度を下げる。
【００２５】
本実施例中、シェード層は第一カバー１１と第二カバー１２の間に設置され、シェード層４の隠蔽性を向上する同時に、シェード層４への保護効果を高める。
【００２６】
本実施例中、シェード層４の形状は第一カバー１１と同じである。
【００２７】
本実施例中、第一カバー１１と離れた第二カバー１２の端面に擦れ防止のコーティングを塗布することで、カメラ保護カバーの擦れ防止能力を向上する。
【００２８】
本実用新案の実施例の一つ具体的な実施方法として、図１と図２を合わせて参考ください。保護カバー１はボンド層５でカメラエリアと粘着している。ボンド層５は保護カバー１とカメラエリアの開閉効果を高める同時に、このカメラ保護カバーの取り外しにも便利である。
【００２９】
本実施例中、シェード層４は保護カバー１とボンド層５の間に設置される。シェード層４の設置方法が簡単で、カメラ保護カバーの生産コストを下げて、有効にカメラ保護カバーの経済利益を向上させる。
【００３０】
本実用新案の実施例の一つ具体的な実施方法として、図１と図２を合わせて参考ください。カメラ保護カバーは保護カバー１に設置され、騒音抑制マイク収納用のマイク収納穴６も含める。
【００３１】
本発明も一種類の電子設備保護カバーを提供した。電子設備保護カバーは上記説明した任意実施例中のスクリーン保護カバー構造を含める。
【００３２】
この電子設備保護カバーは有効に電子設備の主体構造を保護する同時に、電子設備上のカメラエリアも有効に保護できる。
【００３３】
上記の内容は本実用新案の良い実施例だけで、本実用新案の全ての内容はそれらに限らない。本実用新案の精神と原則以内、任意の修正、同等置き換え、改善等をしたら、全部本実用新案の保護範囲にある。
【符号の説明】
【００３４】
１、保護カバー；
１１、第一カバー；
１２、第二カバー；
２、カメラ固定溝；
３、フラッシュ収納穴；
４、シェード層；
５、ボンド層；
６、マイク収納穴。
【図１】
0003226845.tif 000003
【図２】
0003226845.tif 000004